(57)【要約】  【課題】  相互認証不成立の場合、即刻記録再生の動作を停止させてしまうため、ユーザは記録媒体中に格納されているコンテンツデータがいかなるものであるかを窺い知ることができない。  【解決手段】  プレーヤ１０１にて相互認証を行う以前に、付加情報取得手順ステップＳ３０３により付加情報２０８のリードを行う。続けて付加情報表示手順ステップＳ３０４にて、暗号化コンテンツデータ２０９の曲数や演奏時間などの付加情報を表示部１１１に出力する。その後、認証処理手順ステップＳ３０５にて相互認証を実施し、認証成立時はステップＳ３０６〜Ｓ３１０の手順を行い、暗号化コンテンツデータの再生を行う。また認証不成立時は、終了手順ステップＳ３１１を行い、再生動作を中断する。【選択図】  図３
2005302110.tif 000002
【特許請求の範囲】
【請求項１】
コンテンツデータと前記コンテンツデータの内容を示す付加情報が格納された相互認証機能付きの記録媒体の装着を検出する手順と、
前記装着された前記記録媒体から前記付加情報を取得する手順と、
取得した前記付加情報を相互認証前に表示する手順と、
前記表示の後に前記記録媒体の前記コンテンツデータの再生が可能であるか相互認証を行う手順とを有することを特徴とする記録媒体再生方法。
【請求項２】
さらに、前記相互認証の結果が認証不成立の場合に、前記記録媒体の前記コンテンツデータの再生が不可能であることを警告表示する手順を有することを特徴とする請求項１に記載の記録媒体再生方法。
【請求項３】
前記警告表示に代えて、前記警告表示と前記付加情報の表示とを交互に行う手順を有することを特徴とする請求項２に記載の記録媒体再生方法。
【請求項４】
さらに、前記相互認証の結果が認証不成立の場合に、前記付加情報の表示を継続しつつ、再生指示が行われたことを検出する手順と、
前記再生指示が検出された際に前記記録媒体の前記コンテンツデータの再生が不可能であることを警告表示する手順とを有することを特徴とする請求項１に記載の記録媒体再生方法。
【請求項５】
さらに、前記警告表示の次に、前記付加情報の表示を行う手順を有することを特徴とする請求項４に記載の記録媒体再生方法。
【請求項６】
前記警告表示に代えて、前記警告表示と前記付加情報の表示とを交互に行う手順を有することを特徴とする請求項４に記載の記録媒体再生方法。
【発明の詳細な説明】
【技術分野】
【０００１】
本発明は、音声や映像のコンテンツデータが暗号化されて格納され、またコンテンツデータの再生時間や再生順を示す管理情報、コンテンツデータのタイトルや作成日時などの付加情報が格納されている記録媒体に対して再生または記録再生を行う記録／再生装置の再生方法に関する。
【背景技術】
【０００２】
近年の記録再生装置は、デジタルビデオやミニディスクプレーヤ等のようにデジタルでの記録再生が可能となり、映像や音声のコンテンツデータの劣化が少なく、コンテンツデータのタイトル等の付加情報を記録再生することも可能で、使用感が向上している。また、インターネットからのコンテンツデータのダウンロードにより簡単にコンテンツを楽しむことが可能となり、業務用のみならず民生分野でも広く利用されるようになってきている。
【０００３】
一方、違法なコンテンツデータの交換やコピーが行われる可能性もあり、不正コピー防止のためにコンテンツデータの暗号化技術を用い、半導体メモリカード等著作権保護機能を備えた記録媒体やそれを用いた記録再生機器が発売されてきている。著作権保護機能は、ハッキングされた記録再生装置を検出するため相互認証を行い、相互認証不成立時はハッキング機器と判定し、リボケートする一方、相互認証成立時は暗号化されたコンテンツデータを復号しながら再生できる機能である（例えば、特許文献１参照）。
【０００４】
ここで、相互認証とは、半導体メモリカード等における認証領域のデータリード／ライトを可能とするためのシーケンスのことであり、半導体メモリカードに保有されているメディアＩＤを用いて記録再生機器側で算出した鍵と半導体メモリカードが保有している鍵との一致を判断することで行われる。また、相互認証が成立してはじめてカード認証領域からデータリード／ライトが行えることになる。なお、相互認証が不成立である場合には、無効データ（全ビットがハイレベルとなるデータなど）しか読み出せないよう構成されている。
【特許文献１】特開２００１−１４４４１号公報（第５−６頁、第５図）
【発明の開示】
【発明が解決しようとする課題】
【０００５】
しかしながら、従来の記録再生装置では、記録媒体の装着検出後に相互認証を行った際、認証不成立であった場合には、不正コピーの可能性ありとして、即刻記録再生の動作を停止させてしまう。したがって、ユーザは記録媒体中に格納されているコンテンツデータがいかなるものであるかを窺い知ることができない。
【課題を解決するための手段】
【０００６】
本発明は、上記の課題を解決するために次のような手段を講じる。
【０００７】
本発明における第１の記録媒体再生方法は、コンテンツデータと前記コンテンツデータの内容を示す付加情報が格納された相互認証機能付きの記録媒体の装着を検出する手順と、前記装着された前記記録媒体から前記付加情報を取得する手順と、取得した前記付加情報を相互認証前に表示する手順と、前記表示の後に前記記録媒体の前記コンテンツデータの再生が可能であるか相互認証を行う手順とを有することを特徴とする。
【０００８】
この構成によれば、記録媒体の装着に伴って記録媒体からコンテンツデータの付加情報を取得し、付加情報を表示する。この付加情報の表示は相互認証前に行われ、したがって、相互認証の成立・不成立に関係なく付加情報が表示される。つまり、相互認証が不成立であっても、記録媒体中に格納されているコンテンツデータがいかなるものであるかをユーザに知らせることができる。
【０００９】
また、本発明における第２の記録媒体再生方法は、上記第１の記録媒体再生方法において、さらに、前記相互認証の結果が認証不成立の場合に、前記記録媒体の前記コンテンツデータの再生が不可能であることを警告表示する手順を有することを特徴とする。
【００１０】
この構成によれば、相互認証が不成立であっても、記録媒体中に格納されているコンテンツデータがいかなるものであるかをユーザに知らせることができるとともに、相互認証の不成立の確定後は、警告表示によりそのコンテンツデータの再生が不可能であることをユーザに知らせることができる。
【００１１】
また、本発明における第３の記録媒体再生方法は、上記第２の記録媒体再生方法において、前記警告表示に代えて、前記警告表示と前記付加情報の表示とを交互に行う手順を有することを特徴とする。
【００１２】
この構成によれば、相互認証の不成立の確定後は、そのコンテンツデータは再生不可能であることと、いかなる内容のコンテンツデータであるかをユーザに繰り返し知らせることができる。
【００１３】
また、本発明における第４の記録媒体再生方法は、上記第１の記録媒体再生方法において、さらに、前記相互認証の結果が認証不成立の場合に、前記付加情報の表示を継続しつつ、再生指示が行われたことを検出する手順と、前記再生指示が検出された際に前記記録媒体の前記コンテンツデータの再生が不可能であることを警告表示する手順とを有することを特徴とする。
【００１４】
この構成によれば、相互認証の不成立の確定後は、そのコンテンツデータがいかなる内容のものであるかの表示をユーザがキー操作するまで続けるので、ユーザに確認のための時間的ゆとりを与えることができるとともに、そのコンテンツデータは再生不可能であることをユーザに知らせることができる。
【００１５】
また、本発明における第５の記録媒体再生方法は、上記第４の記録媒体再生方法において、さらに、前記警告表示の次に、前記付加情報の表示を行う手順を有することを特徴とする。
【００１６】
この構成によれば、再生不可能のコンテンツデータがいかなる内容のものであるかの表示を、キー操作の前後において行える。
【００１７】
また、本発明における第６の記録媒体再生方法は、上記第４の記録媒体再生方法において、前記警告表示に代えて、前記警告表示と前記付加情報の表示とを交互に行う手順を有することを特徴とする。
【００１８】
この構成によれば、キー操作後においても、そのコンテンツデータは再生不可能であることと、いかなる内容のコンテンツデータであるかをユーザに繰り返し知らせることができる。
【発明の効果】
【００１９】
本発明における第１の記録媒体再生方法によれば、認証不成立の場合であっても、コンテンツデータの付加情報の表示出力によって、ユーザは記録媒体中に格納されているコンテンツデータがいかなるものであるかを窺い知ることができる。
【００２０】
また、本発明における第２の記録媒体再生方法によれば、認証不成立の場合であっても、ユーザは記録媒体中に格納されているコンテンツデータがいかなるものであるかを窺い知ることができるとともに、認証不成立確定後には、警告表示によりそのコンテンツデータの再生が不可能であると分かる。
【００２１】
また、本発明における第３の記録媒体再生方法によれば、認証不成立確定後であっても、ユーザは記録媒体中に格納されているコンテンツデータがいかなるものであるかと、そのコンテンツデータの再生が不可能であることを繰り返し確認することができる。
【００２２】
また、本発明における第４の記録媒体再生方法によれば、認証不成立確定後もコンテンツデータの内容を示す付加情報の表示出力をユーザのキー操作まで継続し、警告表示へはキー操作を待って進むことから、ユーザはコンテンツデータがいかなるものか認識するための時間を十分に確保することができる。
【００２３】
また、本発明における第５の記録媒体再生方法によれば、認証不成立確定後もコンテンツデータの内容を示す付加情報の表示出力をユーザのキー操作まで継続し、警告表示へはキー操作を待って進むことから、ユーザはコンテンツデータがいかなるものか認識するための時間を十分に確保することができ、さらに警告表示後に再度コンテンツデータがいかなるものか窺い知ることが可能となる。
【００２４】
また、本発明における第６の記録媒体再生方法によれば、上記第５の記録媒体再生方法による作用効果に加えて、ユーザは記録媒体中に格納されているコンテンツデータがいかなるものであるかと、そのコンテンツデータの再生が不可能であることを繰り返し確認することができる。
【発明を実施するための最良の形態】
【００２５】
以下、本発明にかかわる記録媒体再生方法の実施の形態を図面に基づいて詳細に説明する。
【００２６】
（実施の形態１）
図１は、著作権保護機能付き半導体メモリカードを記録媒体として用いる記録再生装置であるプレーヤのハードウェア構成を示すブロック図である。
【００２７】
図１において、プレーヤ１０１は、システム制御を行うプログラムを実行するＣＰＵ１０３と、着脱可能な著作権保護機能付き半導体メモリカード（以降、メモリカードと称す）１０２、カードＩＦ部１０４、認証部１０５、バッファＲＡＭ１０６、信号処理部１０７、デコード部１０８、ＤＡＣ（Ｄ／Ａ変換器）１０９、ユーザのキー操作を入力する操作キー部１１０、プレーヤの各種動作状態の表示を行う表示部１１１から構成されている。
【００２８】
ここで、ＣＰＵ１０３、カードＩＦ部１０４、認証部１０５、バッファＲＡＭ１０６、信号処理部１０７はバス１１２にて接続され、相互にデータのリード・ライトや各種制御を行うためのコマンドの送受信が行える。
【００２９】
また、ＣＰＵ１０３は、メモリカード１０２とカードＩＦ部１０４を通じて認証部１０５にアクセスすることにより、相互認証の手続きを行う。その後、暗号化された楽曲コンテンツデータをメモリカード１０２からカードＩＦ部１０４を通じてバッファＲＡＭ１０６へリードする。続いて、バッファＲＡＭ１０６に蓄積された暗号化コンテンツデータを順次、信号処理部１０７に送出し、復号やデスクランブルを行う。復号されたコンテンツデータはデコード部１０８にて音声データに変換され、ＤＡＣ１０９にてデジタルからアナログに変換され、音声として出力される。
【００３０】
図２は、実施の形態１におけるメモリカード１０２のメモリ領域データ構造を示す構造図である。
【００３１】
図２において、メモリカード１０２は、相互認証処理を行うための認証部２０１、外部からの書き換えが不可能な特殊領域２０２、相互認証確立後、アクセス可能となる認証領域２０３、認証なしでデータのリード・ライト可能な非認証領域２０４、認証部２０１に格納されたマスター鍵２０５、特殊領域２０２に格納されたカード固有の識別番号であるメディアＩＤ２０６、認証領域２０３に格納された暗号化コンテンツデータの暗号化鍵２０７、非認証領域２０４に格納された楽曲コンテンツデータのサンプリング周波数・ビットレート等の属性や、収録曲数・収録時間・再生順序・タイトル等の参照情報である付加情報２０８、同じく非認証領域２０４に格納された再生対象となる楽曲コンテンツデータを暗号化した暗号化コンテンツデータ２０９を備えている。
【００３２】
暗号化コンテンツデータ２０９をリードし、暗号を解くことにより再生音が得られ、付加情報２０８をリードすることにより表示情報が得られる。非認証領域２０４には付加情報２０８および暗号化コンテンツデータ２０９以外にドキュメントファイルや各種データファイルを格納することが可能となっている。
【００３３】
図３は、プレーヤ１０１の再生動作時のＣＰＵ１０３の処理手順を示すフローチャートである。
【００３４】
図３において、まず、ＣＰＵ１０３はメモリカード１０２の装着を検出する（ステップＳ３０１）。次に、メモリカード１０２の初期化を行う（ステップＳ３０２）。ここで、メモリカード１０２の初期化とは、著作権保護機能付き半導体メモリカードで規定されている手順に従って行われるものであり、これにより記録再生機器と半導体メモリカードの通信が可能となる。メモリカード１０２の初期化完了後、非認証領域２０４より付加情報２０８の取得を行う（ステップＳ３０３）。次に、取得した付加情報２０８より再生対象となる楽曲の曲情報を抽出し、曲数や演奏時間などを表示部１１１に出力する（ステップＳ３０４）。表示部１１１では、例えば図４（ａ）に示すようにプレイリスト番号（ＰＬ）、トラック番号（ＴＮｏ）、演奏時間（ＴＩＭＥ）が表示される。
【００３５】
その後、認証部１０５を用いてメモリカード１０２と相互認証を行う（ステップＳ３０５）。ステップＳ３０５において、相互認証が成立した場合は、認証部２０１からマスター鍵２０５を取得する（ステップＳ３０６）。次に、特殊領域２０２からメディアＩＤ２０６を取得する（ステップＳ３０７）。続いて、相互認証成立後にアクセス可能となる認証領域２０３から暗号化鍵２０７を取得する（ステップＳ３０８）。続いて、上記各手順にて取得したマスター鍵２０５とメディアＩＤ２０６を用いて、暗号化鍵２０７を復号することにより、暗号化コンテンツデータの鍵情報であるタイトル鍵を抽出する（ステップＳ３０９）。次に、信号処理部１０７にて、抽出したタイトル鍵を用いて、非認証領域２０４から順次暗号化コンテンツデータ２０９をリード・復号を行うことにより暗号を解き、音声データとしてデコード部１０８に出力する。以降は図１で説明したように、デコード部１０８、ＤＡＣ１０９が動作し、再生動作が行われることとなる（ステップＳ３１０）。
【００３６】
また、ステップＳ３０５にて認証が不成立であった場合は、ＤＡＣ１０９の出力がミュートされ、またデコード部１０８のデコードが停止され、信号処理部１０７の処理が停止され、またカードＩＦ部１０４のメモリカード１０２からのコンテンツデータのリードが停止されるという終了処理が行われる（ステップＳ３１１）。これにより再生動作が中断されることとなる。
【００３７】
なお、付加情報表示手順Ｓ３０４では曲数や演奏時間を表示するとしているが、曲名や演奏者名等の文字情報や、アルバムジャケットなどの画像情報を表示する処理としてもよい。また、表示部１１１の表示パターンは、コンテンツデータのタイトルを表示したり、コンテンツデータの属性（サンプリング周波数やビットレート、ｃｈ数等）を表示するなど、図４（ａ）と異なるものとしてもよい。
【００３８】
本実施の形態によれば、認識前に、メモリカード中に格納されている付加情報（コンテンツデータの属性や参照情報等）を表示するので、認証不成立の場合であっても、ユーザはメモリカードに格納されているコンテンツデータがいかなるものであるかを窺い知ることができる。
【００３９】
（実施の形態２）
本発明の実施の形態２におけるプレーヤのハードウェア構成を示すブロック図、およびメモリカードのメモリ領域データ構成を示す構造図は、実施の形態１と同様である。図５は、本発明の実施の形態２におけるプレーヤ１０１の再生動作時のＣＰＵ１０３の処理手順を示すフローチャートである。
【００４０】
図５において、ステップＳ３０５の処理の結果、相互認証が不成立であった場合は、警告表示を表示部１１１に出力する（ステップＳ３１２）。表示部１１１では、図４（ｂ）に示したような警告表示パターンが表示される。その後、終了処理Ｓ３１１が行われ、再生動作は中断されることとなる。
【００４１】
本実施の形態によれば、認証不成立確定後は、警告表示によりユーザはそのコンテンツデータの再生が不可能であることを窺い知ることができる。
【００４２】
（実施の形態３）
本発明の実施の形態３におけるプレーヤのハードウェア構成を示すブロック図、およびメモリカードのメモリ領域データ構成を示す構造図は、実施の形態１と同様である。図６は、本発明の実施の形態３におけるプレーヤ１０１の再生動作時のＣＰＵ１０３の処理手順を示すフローチャートである。
【００４３】
図６において、ステップＳ３０５の処理の結果、相互認証が不成立であった場合は、一定時間、警告表示を表示部１１１に出力する（ステップＳ３１２）。表示部１１１では、図４（ｂ）に示したような警告表示パターンが一定時間表示される。次に、図４（ａ）に示すように曲数や経過時間などの付加情報を一定時間表示する（ステップＳ３１３）。そして、認証エラー表示手順Ｓ３１２と付加情報表示手順Ｓ３１３を反復することにより、図４（ａ）の曲数・演奏時間表示と図４（ｂ）の警告表示が繰り返し行われることとなる。
【００４４】
本実施の形態によれば、認証不成立確定後に、ユーザは、警告表示によりメモリカードに格納されているコンテンツデータの再生が不可能であることが分かるとともに、そのコンテンツデータがいかなるものであるかを窺い知ることができる。
【００４５】
（実施の形態４）
本発明の実施の形態４におけるプレーヤのハードウェア構成を示すブロック図、およびメモリカードのメモリ領域データ構成を示す構造図は、実施の形態１と同様である。図７は、本発明の実施の形態４におけるプレーヤ１０１の再生動作時のＣＰＵ１０３の処理手順を示すフローチャートである。
【００４６】
図７において、ステップＳ３０５の処理の結果、相互認証が不成立であった場合は、ユーザからの再生指示のキー操作入力の検出を行う（ステップＳ３１５）。キー操作入力が検出された場合は、ステップＳ３１２にて警告表示が表示部１１１に出力される。表示部１１１では図４（ｂ）に示したような警告表示パターンが表示される。次に、終了処理Ｓ３１１が行われ、再生動作は中断されることとなる。
【００４７】
本実施の形態によれば、相互認証不成立確定後もコンテンツデータの内容を示す付加情報の表示出力をユーザのキー操作まで継続し、警告表示へはキー操作を待って進むことから、ユーザはコンテンツデータがいかなるものか認識するための時間を十分に確保することができる。
【００４８】
（実施の形態５）
本発明の実施の形態５におけるプレーヤのハードウェア構成を示すブロック図、およびメモリカードのメモリ領域データ構成を示す構造図は、実施の形態１と同様である。図８は、本発明の実施の形態５におけるプレーヤ１０１の再生動作時のＣＰＵ１０３の処理手順を示すフローチャートである。
【００４９】
図８において、ステップＳ３０５の処理の結果、相互認証が不成立であり、ステップＳ３１５によりユーザからの再生指示のキー操作入力が検出された場合は、ステップＳ３１２にて図４（ｂ）に示すように認証エラー表示を一定時間行う。次に、図４（ａ）に示すように曲数や演奏時間などの付加情報を一定時間、表示部１１１に出力・表示する（ステップＳ３１３）。その後、ステップＳ３１１が行われ、再生動作は中断されることとなる。
【００５０】
本実施の形態によれば、相互認証不成立確定後もコンテンツデータの内容を示す付加情報の表示出力をユーザのキー操作まで継続し、警告表示へはキー操作を待って進むことから、ユーザはコンテンツデータがいかなるものか認識するための時間を十分に確保することができ、さらに警告表示後に再度コンテンツデータがいかなるものか窺い知ることが可能となる。
【００５１】
（実施の形態６）
本発明の実施の形態６におけるプレーヤのハードウェア構成を示すブロック図、およびメモリカードのメモリ領域データ構成を示す構造図は、実施の形態１と同様である。図９は、本発明の実施の形態６におけるプレーヤ１０１の再生動作時のＣＰＵ１０３の処理手順を示すフローチャートである。
【００５２】
図９において、ステップＳ３０５の処理の結果、相互認証が不成立であり、ステップＳ３１５によりユーザからの再生指示のキー操作入力が検出された場合は、ステップＳ３１２にて図４（ｂ）に示すように認証エラー表示を一定時間行う。次に、図４（ａ）に示すように曲数や演奏時間などの付加情報を一定時間、表示部１１１に出力・表示する（ステップＳ３１３）。次に、図４（ａ）に示すように曲数や経過時間などの付加情報を一定時間表示する（ステップＳ３１３）。そして、認証エラー表示手順Ｓ３１２と付加情報表示手順Ｓ３１３を反復することにより、図４（ａ）の曲数・演奏時間表示と図４（ｂ）の警告表示が繰り返し行われることとなる。
【００５３】
本実施の形態によれば、実施の形態５の効果に加えて、ユーザは記録媒体中に格納されているコンテンツデータがいかなるものであるかと、そのコンテンツデータの再生が不可能であることを繰り返し確認することができる。
【産業上の利用可能性】
【００５４】
本発明の記録媒体再生方法は、著作権保護のための相互認証機能を備えたデジタルビデオやミニディスクプレーヤ等のデジタル方式の記録再生装置または再生装置において、相互認証の結果の如何によらずにユーザがコンテンツデータの内容を確認できる技術として有用である。
【図面の簡単な説明】
【００５５】
【図１】本発明の実施の形態１における著作権保護機能を備えた記録再生装置のハードウェア構成を示すブロック図
【図２】本発明の実施の形態における著作権保護機能付き半導体メモリカードのメモリ領域データ構造を示す構成図
【図３】本発明の実施の形態１における記録媒体再生方法の処理手順を示すフローチャート
【図４】本発明の実施の形態で用いられる表示部での表示内容を示す表示パターン図
【図５】本発明の実施の形態２における記録媒体再生方法の処理手順を示すフローチャート
【図６】本発明の実施の形態３における記録媒体再生方法の処理手順を示すフローチャート
【図７】本発明の実施の形態４における記録媒体再生方法の処理手順を示すフローチャート
【図８】本発明の実施の形態５における記録媒体再生方法の処理手順を示すフローチャート
【図９】本発明の実施の形態６における記録媒体再生方法の処理手順を示すフローチャート
【符号の説明】
【００５６】
１０１  プレーヤ
１０２  メモリカード
１０３  ＣＰＵ
１０４  カードＩＦ部
１０５  認証部
１０６  バッファＲＡＭ
１０７  信号処理部
１０８  デコード部
１０９  ＤＡＣ（Ｄ／Ａ変換器）
１１０  操作キー部
１１１  表示部
２０１  メモリカード認証部
２０２  メモリカード特殊領域
２０３  メモリカード認証領域
２０４  メモリカード非認証領域
２０５  マスター鍵
２０６  メディアＩＤ
２０７  暗号化鍵
２０８  付加情報
２０９  暗号化コンテンツデータ
Ｓ３０１  カード装着検出手順
Ｓ３０２  カード初期化手順
Ｓ３０３  付加情報取得手順
Ｓ３０４，Ｓ３１３  付加情報表示手順
Ｓ３０５  認証手順
Ｓ３０６  マスター鍵取得手順
Ｓ３０７  メディアＩＤ手順
Ｓ３０８  暗号化鍵取得手順
Ｓ３０９  タイトル鍵抽出手順
Ｓ３１０  楽曲再生手順
Ｓ３１１  終了手順
Ｓ３１２  認証エラー表示手順
Ｓ３１５  再生指示キー入力検出手順
【図１】
2005302110.tif 000003
【図２】
2005302110.tif 000004
【図３】
2005302110.tif 000005
【図４】
2005302110.tif 000006
【図５】
2005302110.tif 000007
【図６】
2005302110.tif 000008
【図７】
2005302110.tif 000009
【図８】
2005302110.tif 000010
【図９】
2005302110.tif 000011